(57)【要約】【課題】マスカラ等の液状化粧料の塗布容器において、液状化粧料のぼて付を解消する。【解決手段】液状化粧料塗布容器１が、軸体１１の一端に化粧料塗布体１２を有する塗布具１０と、液状化粧料が収容された容器本体２０とを備える。塗布具１０は容器本体２０の口部に着脱自在に装着される。容器本体２０内には、(a)中央部３２ａが容器本体２０の中心軸Ｌ側に突出した弓状バネ部３２、(b)弓状バネ部３２の下端に連続し、容器本体２０の中心軸Ｌ側の斜め下方に突出したしごき部３３を備える。弓状バネ部３２の下端部としごき部３３で形成される突出形状が、弓状バネ部３２の中央部３２ａの突出形状に比して変形し難く、弓状バネ部３２の中央部３２ａは、容器本体２０の外周方向に押圧されることにより扁平化し、しごき部３３の先端部３３ａを容器本体２０の中心軸Ｌ側に移動する。【選択図】図１
2010246808.tif 000002
【特許請求の範囲】
【請求項１】
軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出した弓状バネ部、及び
(b)弓状バネ部の下端に連続し、容器本体の中心軸側の斜め下方に突出したしごき部
を備え、
弓状バネ部の下端部としごき部で形成される突出形状が、弓状バネ部の中央部の突出形状に比して変形し難く、弓状バネ部の中央部が容器本体の外周方向に押圧されることにより扁平化するのに伴い、しごき部の先端部が容器本体の中心軸側に移動する液状化粧料塗布容器。
【請求項２】
軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出し、下端が容器の内壁に接する弓状バネ部、及び
(b)弓状バネ部の下端に連続し、容器本体の中心軸側の斜め下方に突出したしごき部
を備え、
弓状バネ部は、その中央部が、塗布具の容器本体への挿抜時に、該塗布具によって容器本体の外周方向へ押圧される位置に配され、
弓状バネ部の中央部に対してしごき部の剛性が高い液状化粧料塗布容器。
【請求項３】
軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出し、下端が容器の内壁に接する弓状バネ部、及び
(b)弓状バネ部の下端に連続し、容器本体の中心軸側の斜め下方に突出したしごき部
を備え、
弓状バネ部は、その中央部が、塗布具の容器本体への挿抜時に、該塗布具によって容器本体の外周方向へ押圧される位置に配され、
弓状バネ部に対してしごき部が肉厚に形成されている液状化粧料塗布容器。
【請求項４】
２〜４個の弓状バネ部が、容器本体の中心軸の周りに設けられている請求項１〜３のいずれかに記載の液状化粧料塗布容器。
【請求項５】
しごき部の先端部が容器本体の中心側に移動したときに、しごき部の側面同士が接触する請求項４記載の液状化粧料塗布容器。
【請求項６】
弓状バネ部が弾性材料で形成された請求項１〜５のいずれかに記載の液状化粧料塗布容器。
【発明の詳細な説明】
【技術分野】
【０００１】
本発明は、マスカラ、アイライナー、アイシャドー、リップグロス等の液状化粧料を塗
布する塗布具を備えた液状化粧料塗布容器に関する。
【背景技術】
【０００２】
従来、マスカラ、アイライナー、アイシャドー、リップグロス等の液状化粧料を塗布する化粧料塗布体を備えた液状化粧料塗布容器として、軸体の一端にブラシ、刷毛等の化粧料塗布体を備えた塗布具と、液状化粧料を収容した容器本体からなり、塗布具の化粧料塗布体を容器本体に挿入可能とし、塗布具が容器本体の口部の着脱自在なキャップともなる液状化粧料塗布容器が使用されている。
【０００３】
このような液状塗布容器においては、容器本体から塗布具を抜き出したときの化粧料塗布体に付着している液状化粧料の液量を調節するため、容器本体の口部内壁にゴムや熱可塑性弾性体で形成したしごき部材を周設することがなされている。しかしながら、容器本体の口部にしごき部材を設けると、塗布具の容器本体内への挿入時に容器本体内の圧力が増して塗布具が押し戻されるという所謂ポンピング現象が生じ、また、塗布具の抜き出し時には負圧により塗布具が抜きにくくなるという問題が生じる。そこで、容器本体の口部に設ける液量調節部材の化粧料塗布体との密着面に溝を形成することが提案されている（特許文献１）。
【０００４】
また、化粧料塗布体に付着した余分な液状化粧料を確実にしごくため、断面Ｕ字型のしごき部材と十字スリットの入ったしごき部材とを二重に設けること（特許文献２）や、ダイヤル式の絞りで液量調節部材の内寸を調節すること（特許文献３）が提案されている。
【先行技術文献】
【特許文献】
【０００５】
【特許文献１】特開2003-24135号公報
【特許文献２】特開2006-296824号公報
【特許文献３】特開2007-160116号公報
【発明の概要】
【発明が解決しようとする課題】
【０００６】
しかしながら、従来の液状化粧料塗布容器では、容器本体から引き抜いた化粧料塗布体における全体的な液状化粧料の付着量は調整できても、化粧料塗布体の下端部に過剰に付着した「ぼて付」と称される液状化粧料を除去することは困難である。
【０００７】
そのため、液状化粧料塗布容器の使用者は、容器本体から塗布具を引き抜いた後、容器本体の口部に化粧料塗布体を擦り付けて余分な液状化粧料を除去するなどしているが、容器本体の口部に化粧料塗布体を擦り付けると、口部が液状化粧料で汚れ、容器本体に塗布具を挿入してキャップを閉じようとしても、キャップが嵌り難くなったり、密封性が低下したりするという問題がある。
【０００８】
これに対し、本発明は、ぼて付を解消することのできる液状化粧料塗布容器を提供することを目的とする。
【課題を解決するための手段】
【０００９】
本発明者は、塗布具の容器本体内に、引き抜き動作により押圧されて扁平化する弓状バネ部を設けると共に、その弓状バネ部の下端にしごき部を連続させ、弓状バネ部が扁平化するのに伴い、しごき部の先端部が容器本体の中心軸側に移動するようにしごき部を形成すると、容器本体から塗布具を抜き出したときに化粧料塗布体から余分な液状化粧料を除去できると共に、化粧料塗布体の下端部のぼて付も解消できることを見出した。
【００１０】
即ち、本発明は、軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出した弓状バネ部、及び
(b)弓状バネ部の下端に連続し、容器本体の中心軸側の斜め下方に突出したしごき部
を備え、
弓状バネ部の下端部としごき部で形成される突出形状が、弓状バネ部の中央部の突出形状に比して変形し難く、弓状バネ部の中央部が容器本体の外周方向に押圧されることにより扁平化するのに伴い、しごき部の先端部が容器本体の中心軸側に移動する液状化粧料塗布容器を提供する。
【００１１】
また、本発明は、軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出し、下端が容器の内壁に接する弓状バネ部、及び
(b)弓状バネ部の下端に連続し、容器本体の中心軸側の斜め下方に突出したしごき部
を備え、
弓状バネ部は、その中央部が、塗布具の容器本体への挿抜時に、該塗布具によって容器本体の外周方向へ押圧される位置に配され、
弓状バネ部の中央部に対してしごき部の剛性が高い液状化粧料塗布容器を提供する。
【００１２】
さらに、本発明は、軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出し、下端が容器の内壁に接する弓状バネ部、及び
(b)弓状バネ部の下端に連続し、容器本体の中心軸側の斜め下方に突出したしごき部
を備え、
弓状バネ部は、その中央部が、塗布具の容器本体への挿抜時に、該塗布具によって容器本体の外周方向へ押圧される位置に配され、
弓状バネ部に対してしごき部が肉厚に形成されている液状化粧料塗布容器を提供する。
【発明の効果】
【００１３】
本発明の液状化粧料塗布容器によれば、容器本体から塗布具を引き抜くときに、塗布具は、まず、しごき部でしごかれ、次いで、容器本体の中心軸側に突出している弓状バネ部の中央部でもしごかれる。塗布具が弓状バネ部の中央部でしごかれるとき、弓状バネ部はその中央部が塗布具で外周方向に押圧されることにより扁平化する。弓状バネの下端部としごき部で形成される突出形状は、弓状バネ部の中央部に比して変形し難いから、弓状バネ部の扁平化に伴い、しごき部は容器本体の中心軸に対して起立してくるので、しごき部の先端部が容器本体の中心軸側に移動する。したがって、弓状バネ部の中央部が塗布具で容器本体の外周方向に押圧されている間に、弓状バネ部の下端に連続するしごき部の先端部で、塗布具の下端部に付着している液状化粧料のぼて付を払うことが可能となる。
【００１４】
また、弓状バネ部の中央部が塗布具で外周方向に押圧されると、その中央部において、容器本体の内と外を連通させる間隙が広がるので、塗布具が容器本体内の負圧により引き抜きにくくなることもない。
【００１５】
さらに、弓状バネ部の中央部で塗布具の軸体を拭うことも可能となり、塗布具の軸体が液状化粧料で汚れることを防止できる。
【図面の簡単な説明】
【００１６】
【図１】図１は液状化粧料塗布容器の断面図である。
【図２】図２は弓状バネ部としごき部を一体に成型した弓状バネ・しごき部の斜視図（同図（ａ））及びＡ−Ａ矢視図（同図（ｂ））である。
【図３】図３は弓状バネ部としごき部の作用の説明図である。
【図４】図４は弓状バネ部としごき部を一体に成型した弓状バネ・しごき部の斜視図である。
【図５】図５は容器本体の口部に装着される環状部材の切欠断面図である。
【図６】図６は弓状バネ部としごき部の作用の説明図である。
【図７】図７は弓状バネ部としごき部を一体に成型した弓状バネ・しごき部の斜視図（同図（ａ））及びＡ−Ａ矢視図（同図（ｂ））である。
【発明を実施するための形態】
【００１７】
以下、図面を参照しつつ本発明を具体的に説明する。なお、各図中、同一符号は同一又は同等の構成要素を表している。
【００１８】
図１は、本発明の一実施例の液状化粧料塗布容器１であって、塗布具１０が容器本体２０に挿入されている状態から、引き抜かれた状態までの各段階を示す断面図であり、図２は、この液状化粧料塗布容器１で使用する、弓状バネ部としごき部を一体成形した弓状バネ・しごき部材３０の斜視図（同図（ａ））及びＡ−Ａ矢視図（同図（ｂ））であり、図３は、その弓状バネ部としごき部の作用の説明図である。
【００１９】
図１の液状化粧料塗布容器１は、軸体１１の一端に化粧料塗布体１２を有し、他端に把持部１３を有する塗布具１０と、マスカラ、アイライナー、アイシャドー、リップグロス等の液状化粧料Ａが収納された容器本体２０を備えている。
【００２０】
容器本体２０の口部には、環状部３１と弓状バネ部３２としごき部３３が弾性樹脂により一体成形された弓状バネ・しごき部材３０が挿入され、その環状部３１で容器本体２０の口部と弓状バネ・しごき部材３０とが固定されている。
【００２１】
弓状バネ・しごき部材３０では、環状部３１の内周面から複数個の弓状バネ部３２が延設され、垂下している。各弓状バネ部３２は、容器本体２０に取り付けられた状態でその中央部３２ａが容器本体２０の中心軸Ｌ側に突出する弓状の短冊形状を有し、下端が容器本体２０の内壁に接すると共に、しごき部３３に連続している。この場合、各弓状バネ部３２は、その中央部が、塗布具１０の容器本体２０への挿抜時に該塗布具１０によって容器本体２０の外周方向に押圧される位置に配されている。
【００２２】
しごき部３３は、容器本体２０に取り付けられた状態で、容器本体２０の中心軸Ｌ側の斜め下方に突出する形状となっている。したがって、弓状バネ部３２の下端部としごき部３３により、弓状バネ部３２の中央部３２ａの突出形状（図２（ｂ）点線）と逆方向に突出する突出形状（図２（ｂ）破線）が形成されることになる。
【００２３】
図２に示すように、弓状バネ・しごき部材３０において、弓状バネ部３２に対してしごき部３３は、容器本体の軸Ｌと垂直な方向の厚さが肉厚に形成され、弓状バネ部３２はより変形し易く、しごき部３３はより剛性が高くなるように形成されている。また、しごき部３３の先端部３３ａでは、容器本体の軸方向Ｌにも肉厚に形成され、これにより塗布具１０の容器本体２０への挿抜時にも先端部３３ａが捲くり上がることなく、確実に液状化粧料Ａを除去できるようにしている。
【００２４】
そこで、図３に矢印Ｆで示すように弓状バネ部３２の中央部３２ａを容器本体２０の外周方向に押圧すると、弓状バネ部３２の基部が容器本体２０の内壁に当たり、当初、同図（ａ）に示すように容器本体２０の中心軸Ｌ側に突出していた中央部３２ａが同図（ｂ）、（ｃ）に示すように扁平化し、弓状バネ部３２の下端部と容器本体の中心軸Ｌとの角度αが小さくなる。ここで、弓状バネ部３２の下端部に対してしごき部３３が突出する形状（即ち、弓状バネ部の下端部としごき部３３とで挟む角度β）は、しごき部３３の高い剛性により略保持されるから、角度αが小さくなる分、しごき部の先端部３３ａと容器本体の中心軸Ｌとの角度γが大きくなり、しごき部３３の先端部３３ａ側が容器本体２０の中心軸Ｌ側に移動する。
【００２５】
また、弓状バネ部３２の中央部３２ａの押圧を解除すると、弓状バネ部３２の中央部３２ａは押圧前の突出した形状に戻る。
【００２６】
なお、本発明において、短冊形状の弓状バネ部３２は、好ましくは２〜４個を、例えば縦断面視左右対称、軸対称、容器本体２０の中心軸Ｌの周りに等角又は不等角に配置することができる。
【００２７】
弓状バネ部３２の形成材料としては、脆弱な材料でなければ、金属、ゴムなどの弾性材料を使用してもよい。また、しごき部３３の形成材料は、弓状バネ部３２よりも剛性の高い材料で形成することが好ましいが、部品点数を少なくする点から、しごき部３３は弓状バネ部３２と同一素材とし、弓状バネ部３２としごき部３３とを一体成形することが好ましい。その場合、例えば、弓状バネ・しごき部材３０をゴムから形成する場合には、弓状バネ部３２に対するしごき部３３の剛性を形状によって高めることが好ましく、また、弓状バネ・しごき部材３０を金属から形成する場合には、弓状バネ部３２の変形が弾性変形範囲内で収まるように、弓状バネ部３２の軸方向の長さを長くして角度αを小さくし、弓状バネ部３２の変形抵抗を小さくすることが好ましい。
【００２８】
一方、塗布具１０は、容器本体２０の口部からその内部に挿入され、容器本体２０のキャップとなるように構成されており、容器本体２０の口部に着脱自在に装着される。
【００２９】
化粧料塗布体１２の種類としては、種々の態様をとることができ、例えば、植毛ブラシタイプ、成型ブラシタイプ、チップタイプ、刷毛タイプ、コームタイプ、コイルタイプ等とすることができる。また、化粧料塗布体１２の形状は、ストレート型、砲弾型、テーパー型、ピーナッツ型、タイコ型等とすることができ、さらに、化粧料塗布体自体にアール曲げ、角曲げ、中間曲げ等の曲げ加工が施されていても良い。
【００３０】
この液状化粧料塗布容器１は、塗布具１０の使用時に弓状バネ状部３２としごき部３３が次のように作用し、軸体１１や化粧料塗布体１２に付着した余分な液状化粧料を除去すると共に、化粧料塗布体１２の下端部１２ａにたまるぼて付を除去し、塗布具１０の使い勝手を向上させる。
【００３１】
即ち、図１（ａ）に示すように、塗布具１０が容器本体２０に装着されている状態から、同図（ｂ）に示すように塗布具１０を引き抜くと、化粧料塗布体１２がしごき部材３３によってしごかれると共に、軸体１１が弓状バネ部３２の中央部３２ａと摺接し、そこに付着していた余分な液状化粧料が除去される。同図（ｃ）に示すように、さらに塗布具１０を引き抜くと、化粧料塗布体１２は、弓状バネ部３２の中央部３２ａによってもしごかれる。このとき、化粧料塗布体１２は弓状バネ部３２の中央部３２ａを容器本体２０の外周方向に押圧するので、弓状バネ部材３２の中央部３２ａが扁平化し、弓状バネ部の下端部と容器本体の中心軸との角度αが小さくなり（図３）、これに伴い、しごき部３３の先端部３３ａと容器本体の中心軸との角度γが大きくなり、しごき部３３の先端部３３ａが容器本体２０の軸Ｌ方向に移動する。そして、複数のしごき部３３の先端部３３ａがこのように移動することにより、容器本体２０の軸Ｌ上で集まろうとする。したがって、図１（ｄ）に示すように、化粧料塗布体１２の下端がしごき部３３の先端部３３ａを通過した直後にその経路がしごき部３３ａの先端部で閉ざされることにより、化粧料塗布体１２の下端が払われる。よって、化粧料塗布体１２がしごき部３３や弓状バネ部の中央部３２ａでしごかれることにより、化粧料塗布体１２の下端１２ａにたまったぼて付を除去することができる。こうして、同図（ｅ）に示すように、容器本体２０から引き抜いた塗布具１０は、化粧料塗布体１２に適度に液状化粧料が付着し、ぼて付がなく、使い勝手が良好なものとなる。
【００３２】
また、図１（ｃ）に示すように化粧料塗布体１２が弓状バネ部３２の中央部３２ａを容器本体２０の外周方向に押圧して弓状バネ部３２の中央部３２ａが扁平化すると、図３（ｂ）、（ｃ）に示すように、容器本体２０の内と外を連通させる間隙３４が広がるので、塗布具１０が容器本体２０内の負圧により引き抜きにくくなることがない。
【００３３】
本発明の液状化粧料塗布容器は種々の態様をとることができる。
例えば、図４は、容器本体２０の口部に装着する環状部材３１と別体に形成した弓状バネ・しごき部材３０Ｂであって、しごき部３３の先端部３３ａの肉厚を薄くしたものの斜視図である。この弓状バネ・しごき部材３０Ｂでは、複数の弓状バネ部３２の上端にリング状部分３５が、弓状バネ部３２やその下端に連設するしごき部３３と一体に形成されており、図５に示すように、リング状部分３５が、環状部材３１の内周面に設けた溝に嵌合するようにしている。弓状バネ・しごき部材３０Ｂのリング状部分３５が嵌合した環状部材３１は、図６に示すように、容器本体２０に装着され、液状化粧料塗布容器１Ｂを形成する。
【００３４】
図６の液状化粧料塗布容器１Ｂも、当初は、弓状バネ部３２の中央部３２ａが容器本体の中心軸Ｌ側に突出しているが（同図（ａ））、弓状バネ部３２が容器本体２０の外周方向に押圧されることにより扁平化すると共に、弓状バネ部３２の下端部に対してしごき部３３が突出する形状（即ち、弓状バネ部の下端部としごき部３３とで挟む角度β）が保持され（同図（ｂ））、それにより、しごき部の先端部３３ａが容器本体の中心軸Ｌ側に移動し、重なり合うので（同図（ｃ））、図１の液状化粧料塗布容器１と同様に、塗布具をしごくと共に、塗布具の下端部に付着したぼて付を払うことが可能となる。この液状化粧料塗布容器１Ｂは、図１の液状化粧料塗布容器１に比して、容器本体２０の口部の細径部分の軸方向の長さに関わらず環状部材３１の内径を適宜設定することにより弓状バネ・しごき部材３０Ｂの作用を確保することができる。したがって、例えば、容器本体２０の設計の自由度が高まり、また、弓状バネ・しごき部材３０Ｂの作用を安定化させることができる。
【００３５】
また、図７に示すように、複数の弓状バネ部３２の下端から丸棒状のしごき部３３を斜め下方に突出させ、それら先端部３３ａが容器本体２０の中心軸側に移動したときに、複数の先端部３３ａがそれらの側面で互いに接触して組み合うようにしてもよい。このしごき部３３は、押し下げられることにり斜め下方にねじれるので、化粧料塗布体１２の全周をしごき部３３の側面でしごくことが可能となる。
【産業上の利用可能性】
【００３６】
本発明は、マスカラ、アイライナー、アイシャドー、リップグロス等の種々の液状化粧
用の塗布容器として有用である。
【符号の説明】
【００３７】
１、１Ｂ    液状化粧料塗布容器
１０    塗布具
１１    軸体
１２    化粧料塗布体
１２ａ  下端部
１３    把持部
２０    容器本体
３０、３０Ｂ    弓状バネ・しごき部材
３１    環状部又は環状部材
３２    弓状バネ部
３２ａ  中央部
３３    しごき部
３３ａ  先端部
３４    間隙
３５    リング状部分
Ｌ    容器本体の中心軸
【図１】
2010246808.tif 000003
【図２】
2010246808.tif 000004
【図４】
2010246808.tif 000005
【図５】
2010246808.tif 000006
【図６】
2010246808.tif 000007
【図７】
2010246808.tif 000008
【図３】
2010246808.tif 000009